(57)【要約】【課題】刷版供給装置における合紙剥離作業の確実性を増すことを目的とする。【解決手段】カセット２には合紙と刷版とが交互に積載されている。当接板４２で合紙をこすることによりこの合紙をその下の刷版から剥離させることで吸着パッド３７は合紙のみを吸着する。カセット２の版ガイドには狭幅・薄板状のリブ２８が設けられている。これによって当接板４２が合紙に加える版ガイド方向の圧力がリブ２８に集中し、当接板４２による合紙の剥離の確実性が増す。【選択図面】図３
2004051327.tif 000002
【特許請求の範囲】
【請求項１】
刷版と合紙とを交互に積載するカセットと、
前記カセットから刷版を取り出して搬送する刷版搬送機構と、
前記カセットから合紙を排出する合紙排出機構と、を有する刷版供給装置において、
前記合紙排出機構は、
前記カセットに積載された合紙のエッジ近傍を吸着保持する吸盤と、
前記吸盤を合紙平面に対して交差する方向に移動させる吸盤移動手段と、
前記合紙に対して前記合紙平面方向の力を付加する合紙剥離手段とを有するとともに、
前記カセットには、前記合紙のエッジを規制するエッジ規制部材であって、当該合紙のエッジの幅よりも狭い幅の部分の突出部材が設けられたエッジ規制部材が配設されていることを特徴とする刷版供給装置。
【発明の詳細な説明】
【０００１】
【産業上の利用分野】
本発明は刷版を自動的に供給する刷版供給装置に関し、特に、刷版供給装置において合紙（刷版同士の摺動による摩損をさけるために刷版の間に挟まれるシート）の除去を効率的に行うための技術に関する。
【０００２】
【従来の技術】
刷版供給装置は、刷版に対してレーザ光を照射して直接に画像記録を行うＣＴＰ（Ｃｏｍｐｕｔｅｒ　ｔｏ　Ｐｌａｔｅ）と呼ばれる画像記録装置や殖版機に対して刷版を自動的に供給する装置である。
【０００３】
刷版供給装置は、複数枚の刷版が積載されたカセットから刷版を１枚ずつ取り出す刷版取出機構を有しているが、刷版の間には合紙が挟まれているのでこれを取り出すための合紙取出機構も必要とされる。
【０００４】
このような合紙取出機構を備えた刷版供給装置としては本出願人から出願された特開２０００−２４７４８９号や特開２００１−３９５６８号のような装置が存在する。これらの公報に記載されているように、取り出そうとするシート（刷版または合紙）の裏面には、静電気等によって別のシート（刷版または合紙）が付着することがあるので、刷版供給装置はこれを防ぐための機構を備えていることが望ましい。
【０００５】
また、特開２００１−３９５６８号に記載されているように、刷版は非常に傷つきやすいので、合紙を取り出すための機構や付着が生じたシートを分離させるための機構は刷版を傷つけないように特別の配慮がなされている。たとえば、特開２００１−３９５６８号記載の装置では、刷版から合紙を分離させるための当接板が合紙表面に対して浅い角度で接触するように構成することで、この当接板に当接する合紙の下の刷版が傷つかないようにしている。
【０００６】
【発明が解決しようとする課題】
上記のように構成することで当接板が刷版を傷つける危険性を減らすことができるようになる。しかし、当接板が合紙に接触する角度を浅くすることで当接板が合紙表面を滑ってしまうという別の問題が発生していた。当接板が合紙表面を滑ってしまうと、当接板は合紙をその下の刷版から分離させることができなくなる。
【０００７】
本発明は当接板の合紙への接触角度が小さい場合でも当該当接板による合紙の分離が確実に行える機構を提供することを目的とする。
【０００８】
【課題を解決するための手段】
請求項１に記載の発明は、刷版と合紙とを交互に積載するカセットと、前記カセットから刷版を取り出して搬送する刷版搬送機構と、前記カセットから合紙を排出する合紙排出機構と、を有する刷版供給装置において、前記合紙排出機構は、前記カセットに積載された合紙のエッジ近傍を吸着保持する吸盤と、前記吸盤を合紙平面に対して交差する方向に移動させる吸盤移動手段と、前記合紙に対して前記合紙平面方向の力を付加する合紙剥離手段とを有するとともに、前記カセットには、前記合紙のエッジを規制するエッジ規制部材であって、当該合紙のエッジの幅よりも狭い幅の部分の突出部材が設けられたエッジ規制部材が配設されていることを特徴とする刷版供給装置である。
【０００９】
【発明の実施の形態】
図１は、本発明が適用される刷版供給装置１を説明する説明図である。この刷版供給装置１において複数枚の刷版Ｐは合紙Ｓが間に挟まれた状態でカセット２に収納されている。
【００１０】
カセット２から刷版供給装置１の外部に向けて刷版Ｐを搬送するための刷版搬送機構１０は、モータ１１の駆動により回転する無端状の同期ベルト１２の駆動を受け、ガイドレール１３に沿って走行する走行部材１４を備える。この走行部材１４には、ガイドレール１３と平行に配設されたラック１５に噛合する図示しないピニオンが配設されており、このピニオンにはアーム１６が固設されている。また、このアーム１６の先端部には、支持板１７が配設されており、この支持板１７には刷版Ｐを吸着保持するための複数個の吸着パッド１８が付設されている。
【００１１】
このような機構を有する刷版搬送機構１０においては、モータ１１の駆動により走行部材１４が図１に示す状態から左方向に移動すると、アーム１６がピニオンの軸心を中心に回動する。これによって、アーム１６の先端部は図１中一点鎖線で示すような軌跡を描いて移動する。こうして、吸着パッド１８により吸着保持された刷版Ｐはその表裏を反転された後、その先端部を刷版Ｐを刷版供給装置の外部に向けて搬送するための一対の搬送ローラ２１、２２間に挟持されることになる。
【００１２】
一方、各刷版Ｐの間に挟まれた合紙Ｓを排出するための合紙排出機構３０は、図示しないモータの駆動により回転する無端状の同期ベルト３２の駆動を受け、ガイドレール３３に沿って移動するブラケット３４を備える。このブラケット３４の下面には垂直シャフト３５が２本取り付けられ（図１には１本の垂直シャフト３５のみ図示）、当該２本の垂直シャフト３５にはパッド保持板３６が配設されている。パッド保持板３６には、合紙を吸着する吸着パッド３７が紙面に垂直な方向に９個並置されるとともに、同方向に合紙剥離部材３８が２個取り付けられる。なお、吸着パッド３７および合紙剥離部材３８の数は上記数以外であってもよい。
【００１３】
図２は、カセット２の上面図である。カセット２は底板２３とその周縁に沿って固設された４本の枠体２４ａ、２４ｂ、２４ｃ、２４ｄとを有する。底板２３の表面には溝２５ａ、２５ｂ、２５ｃが形成されている。これら溝２５ａ、２５ｂ、２５ｃには底板２３上に載置された刷版Ｐの３辺を位置決めする位置決め部材２６ａ、２６ｂ、２６ｃが摺動可能に配置されている。刷版Ｐの残りの一辺は版ガイド２７と当該版ガイド２７の垂直面２カ所に取り付けられたリブ２８とによって規制されている。３個の位置決め部材２６ａ、２６ｂ、２６ｃを溝２５ａ、２５ｂ、２５ｃに沿って適宜移動させることによりカセット２には種々のサイズの刷版Ｐが収納できる。
【００１４】
合紙Ｓは版ガイド２７に沿ったエッジ近傍が先述の吸着パッド３７によって吸着される。図２中、符号３７’をもって示す部分が吸着パッド３７によって吸着される部分である。また、図２中、符号３８’をもって示す部分は合紙剥離部材３８が接触する部分である。このように吸着パッド３７と合紙剥離部材３８とは、パッド保持板３６への取り付け位置が前後にずれている。
【００１５】
図３は、版ガイド２７に取り付けられたリブ２８を説明するための斜視図であり、枠体２４ｄ近傍を拡大して示した図面である。版ガイド２７は、枠体２４ｄの長手方向に長尺な部材であり、その幅は、カセット２に収納される最大サイズの刷版Ｐの幅よりも長い長さを有している。また、図中２７ａで示す版ガイド２７の垂直面はカセット２の底板２３と直角になるように形成されている。また、垂直面２７ａはその長手方向が枠体２４ｄと平行になるように形成されている。
【００１６】
版ガイド２７の上面２７ｂから垂直面２７ａにかけて狭幅の薄板状のリブ２８が貼設されている。リブ２８を設けることによってこの版ガイド２７の刷版位置決め位置がその垂直面２７ａからリブ２８の厚み分、前方に突出することになる。
【００１７】
なお、リブ２８は、１枚の刷版Ｐに対して２個以上設置されることが望ましい。刷版Ｐが１カ所のみでリブ２８に接触すると刷版Ｐが傾斜して位置決めされることになるからである。
【００１８】
また、幅４５０から６５０ｍｍ程度の刷版Ｐを使用する場合、リブ２８の幅（版ガイド２７の長手方向沿いのリブ２８の長さ）は５ｍｍ程度であることが望ましい。リブ２８の幅が狭すぎると、当該リブ２８によって刷版Ｐの位置決め辺が破損するおそれがあるからである。
【００１９】
さらに、リブ２８の垂直面２８ａの下端は底板２３に達するだけの長さを有していることが望ましい。
【００２０】
リブ２８の厚みは例えば１ｍｍ程度である。但し、これに限定されない。
【００２１】
リブ２８の材質は、これに刷版Ｐが接触するときに当該刷版Ｐとの摩損をさける見地から、ステンレスが好ましい。ただし、樹脂等でもかまわない。本実施の形態では、リブ２８は版ガイド２７に対して溶接で固定されている。しかし、他の手法で固定するようにしてもよい。また、リブ２８を版ガイド２７の別部材として構成せず、版ガイド２７と一体形成で製作してもよい。
【００２２】
図４は、合紙排出機構３０（図１参照）の主要部分を拡大した側面図である。この図は、吸着パッド３７がカセット２内の合紙Ｓに接触する直前まで下降した状態を示している。
【００２３】
図４に示すようにパッド保持板３６には吸着パッド３７と合紙剥離部材３８とが取り付けられている。但し、先に図２を用いて説明したように、吸着パッド３７と合紙剥離部材３８とは取り付け位置が枠体２４ｄの長手方向（図４の紙面に垂直な方向）に関して前後にずれていることを付言する。
【００２４】
合紙剥離部材３８は、パッド保持板３６に固定された本体３９と、一端が本体３９に固定された板バネ４０と、板バネ４０の回転を規制するピン４１と、たとえばゴム板で構成される当接板４２とを有している。
【００２５】
板バネ４０は当接板４２を下方向に付勢している。図４に示す状態では当接板４２の先端部分は合紙Ｓに接触している。
【００２６】
パッド保持板３６が図４に示す高さからさらに下降すると、当接板４２はこの動きに伴って、矢印方向に回動する。合紙Ｓは当接板４２先端部との摩擦によって当接板４２先端部に付着するので、当接板４２の前記回動によって、合紙Ｓには図４における右方向の力が加えられる。これによって合紙Ｓの当接板４２に付着した部分は図４における右方向に移動し始める。一方、合紙Ｓの図４における右方向先端（以下、合紙エッジＳ１という）は２箇所のリブ２８によって移動が規制されている。このため合紙Ｓには、図５に示すような膨張部分Ｓ２が形成される。次に、合紙排出機構３０の吸着パッド３７がこうして形成された膨張部分Ｓ２を吸着して合紙Ｓを保持する。このため吸着パッド３７は合紙Ｓを通してその下の刷版Ｐを吸着することがない。
【００２７】
しかも、上記実施の形態では、当接板４２のスライドによる合紙Ｓを押す力が２個のリブ２８に集中するため、膨張部分Ｓ２の形成が確実になる。仮に、リブ２８が形成されていないとすると、当接板４２による上記力が版ガイド２７の全長に亘って分散されるため膨張部分Ｓ２が良好に形成できないおそれがある。
【００２８】
膨張部分Ｓ２を形成するための力をＰ０（Ｎ／ｍ２）、当接板４２が合紙Ｓに加える力の水平方向成分をＰ１（Ｎ）、合紙Ｓの厚みをｔ（ｍ）、合紙エッジＳ１の幅をＬ１（ｍ）、リブ２８の幅をＬ２（ｍ）とする。
【００２９】
合紙エッジＳ１にかかる圧力（Ｐｘとする）はＰ１を合紙Ｓが版ガイド２７やリブ２８といったエッジ規制部材に接触する面積で除した数となる。このＰｘが前記Ｐ０を上回れば膨張部が形成される。
【００３０】
従来であれば、合紙Ｓがエッジ規制部材に接触する面積はＬ１＊ｔであったが、本実施の形態ではＬ２＊ｔにすぎない。
【００３１】
したがって、本実施の形態における膨張部分Ｓ２の形成されやすさは、従来よりもＬ２／Ｌ１倍大きくなっている。仮に、Ｌ２がＬ１の１００分の１の長さであるとすると、本実施の形態における膨張部分Ｓ２の形成されやすさは、従来技術におけるよりも１００倍大きくなる。
【００３２】
このように本実施の形態では、より小さい力で膨張部分Ｓ２を形成できるようにしているので、当接板４２の合紙Ｓに対する傾斜角度を小さくして当接板４２が合紙Ｓに加える力の水平成分を小さくしたとしても、膨張部分を形成するのに十分な圧力を合紙Ｓに付加することができるという効果を有する。
【００３３】
【発明の効果】
請求項１記載の発明によると、刷版と合紙とが積載されたカセットには、合紙のエッジの幅よりも狭い幅の部分の突出部材が設けられたエッジ規制部材が設けられているので、合紙剥離手段が合紙に対して付加する合紙平面方向の力が合紙エッジの全長に亘って分散することがない。このため、合紙剥離手段による合紙剥離が確実になる。
【図面の簡単な説明】
【図１】この発明の実施の形態に係る刷版供給装置を説明する説明図である。
【図２】カセット２の上面図である。
【図３】カセット２の一部を拡大して示す斜視図である。
【図４】合紙排出機構３０の主要部分を拡大して示す側面図である。
【図５】合紙排出機構３０の主要部分を拡大して示す側面図である。
【符号の説明】
１　　　　刷版供給装置
２　　　　カセット
１０　　　刷版搬送機構
２３　　　底板
２４ａ　　枠体
２４ｂ　　枠体
２４ｃ　　枠体
２６ａ　　位置決め部材
２６ｂ　　位置決め部材
２６ｃ　　位置決め部材
２７　　　版ガイド
２８　　　リブ
３０　　　合紙排出機構
３４　　　ブラケット
３６　　　パッド保持板
３７　　　吸着パッド
３８　　　合紙剥離部材
３９　　　本体
４０　　　板バネ
４１　　　ピン
４２　　　当接板
Ｐ　　　　刷版
Ｓ　　　　合紙
【図１】
2004051327.tif 000003
【図２】
2004051327.tif 000004
【図３】
2004051327.tif 000005
【図４】
2004051327.tif 000006
【図５】
2004051327.tif 000007